(57)【要約】    【課題】生け簀としても使用され得る防水性に優れた釣用バッグの提供。    【解決手段】この釣用バッグ１０は、バッグ本体１１と外蓋１２とを備える。バッグ本体１１は、内蓋１３を備えている。外蓋１２が閉じられたときは、当該外蓋１２によってバッグ本体１１の開口１７及びその周縁部が囲繞される。バッグ本体１１は、側壁部１５の上端部１６が芯材１９に巻き掛けられて外側へ折り曲げられることにより構成されている。当該上端部１６は、当該側壁部１５の所定位置１８に溶着されている。外蓋１２は、この上端部１６の最縁部２９に取り付けられている。内蓋１３は、側壁部１５の上端部１６にファスナー３５を介して縫い付けられている。このファスナー３５は、上記所定位置１８よりも上方で上記側壁部１５に縫い付けられている。【選択図】図４
2007028988.tif 000002
【特許請求の範囲】
【請求項１】
シート状の合成樹脂からなる底面部及び側壁部を有し、上端が開口された容器状のバッグ本体と、
バッグ本体の上端に設けられ、上記開口を開閉する外蓋と、
バッグ本体の上記開口の周縁部の内側にファスナーを介して縫着された内蓋とを備え、
上記側壁部の上端部は、外側に折り返され且つ当該側壁部に止着されており、
上記ファスナーは、上記側壁部の上端部が止着された位置よりも上方位置で縫着されている釣用バッグ。
【請求項２】
上記外蓋は、上記側壁部の上端部の最縁部に第２のファスナーを介して縫着されている請求項１に記載の釣用バッグ。
【請求項３】
上記外蓋は、閉状態で上記開口及びその周縁部の外側を囲繞するようにトレー状に形成されている請求項１又は２に記載の釣用バッグ。
【請求項４】
上記側壁部の上端部は、上記開口に沿って配置された環状の芯材に巻き掛けられている請求項１から３のいずれかに記載の釣用バッグ。
【請求項５】
上記内蓋は、メッシュ生地からなる請求項１から４のいずれかに記載の釣用バッグ。
【請求項６】
上記開口は、矩形に形成されており、
上記内蓋は、上記開口の対角線に沿って延びる切込部及び当該切込部を開閉する第３のファスナーを備えている請求項１から５のいずれかに記載の釣用バッグ。
【請求項７】
上記外蓋の上面にメジャーが表示されている請求項１から６のいずれかに記載の釣用バッグ。
【発明の詳細な説明】
【技術分野】
【０００１】
本発明は、魚釣りの際に使用される釣用バッグの構造に関するものである。
【背景技術】
【０００２】
魚釣りの際には、釣人は、釣竿及び釣用リールのほか、釣糸、釣針、浮子、錘その他の道具に加え、場合によっては釣餌を携行しなければならない。そのため、このような釣道具をまとめて収容できる釣用バッグが従来から種々提供されている（例えば、特許文献１〜特許文献５参照）。これにより、釣人は、多くの釣道具をコンパクトにまとめて釣場に持ち込むことができる。
【０００３】
【特許文献１】特開２００５−１８５２２５号公報
【特許文献２】特開２００５−１８５１２０号公報
【特許文献３】特開２００５−１６８４３３号公報
【特許文献４】特開２００５−１５１８７８号公報
【特許文献５】特開平１１−４９２０２号公報
【発明の開示】
【発明が解決しようとする課題】
【０００４】
ところで、釣用バッグが釣道具の収容搬送用容器として使用されるのみならず、釣れた魚を生かしておく生け簀として、あるいは釣場に持ち込まれる食料の収容庫等として使用されれば、釣人としても便利である。しかしながら、釣用バッグが生け簀として使用されるときには、当該釣用バッグに魚と共に水（海水）も収容されることになるから、この釣用バッグの搬送中における水漏れが確実に防止されなければならない。また、釣用バッグが食料の収容庫等として使用されるときには、外部から当該釣用バッグ内への水の侵入が確実に防止されなければならない。
【０００５】
そこで、本発明の目的は、生け簀としても使用され得る防水性に優れた釣用バッグを提供することである。
【課題を解決するための手段】
【０００６】
(1) 上記目的が達成されるため、本発明に係る釣用バッグは、シート状の合成樹脂からなる底面部及び側壁部を有し、上端が開口された容器状のバッグ本体と、バッグ本体の上端に設けられ、上記開口を開閉する外蓋と、バッグ本体の上記開口の周縁部の内側にファスナーを介して縫着された内蓋とを備える。上記側壁部の上端部は、外側に折り返され且つ当該側壁部に止着されている。上記ファスナーは、上記側壁部の上端部が止着された位置よりも上方位置で縫着されている。
【０００７】
バッグ本体は、釣餌のほか釣用リールその他の道具を収容することができると共に、釣れた魚を海水と共に収容する生け簀として使用され、または釣人が釣場に持ち込む食料の収容庫としても使用され得る。バッグ本体の側壁部の上端部は、外側に折り返された後に当該側壁部に止着されているから、当該側壁部の内面が滑らかに形成されると共に、当該側壁部の高い防水性が達成される。バッグ本体に釣道具等が収容されたときは、内蓋が閉じられ且つファスナーが閉められるることによってバッグ本体内が外部と区画され、さらに、外蓋が閉じられることによってバッグ本体の開口が閉じられる。内蓋をバッグ本体に取り付けているファスナーは、上記側壁部の上端部が止着された位置よりも上方位置、すなわち、上記側壁部の上端部が折り返された部位に近い位置に縫い付けられている。そのため、このファスナーが縫い付けられた部位は、上記折り返された上端部によって外側から覆われることになる。したがって、上記ファスナーが縫い付けられた部位から水が侵入することが確実に防止される。
【０００８】
(2) 上記外蓋は、上記側壁部の上端部の最縁部に第２のファスナーを介して縫着されているのが好ましい。これにより、外蓋は、上記側壁部の上端部を外側から覆うことができるので、上記バッグ本体の開口も当該外蓋によって確実に囲繞される。しかも、この外蓋が閉じられたときは、当該外蓋が第２のファスナーにより上記側壁部の上端部に縫い付けられた状態となるから、外部からバッグ本体への浸水が一層確実に防止される。
【０００９】
(3) 上記外蓋は、閉状態で上記開口及びその周縁部の外側を囲繞するようにトレー状に形成されているのが好ましい。これにより、外部からバッグ本体への浸水がより一層確実に防止される。
【００１０】
(4) 上記側壁部の上端部は、上記開口に沿って配置された環状の芯材に巻き掛けられていてもよい。これにより、バッグ本体の開口周縁部の剛性が向上する。その結果、バッグ本体が釣道具の収容容器として使い易いものとなる。
【００１１】
(5) 上記内蓋は、メッシュ生地から構成されているのが好ましい。前述のように、バッグ本体は、釣れた魚を海水と共に収容する生け簀として使用される場合がある。ただし、実釣中に魚を生かしておくためには、バッグ本体内の海水を新鮮なものに適宜入れ換える必要があり、その場合には、バック本体内の海水が容易且つ迅速に排出されなければならない。また、釣人が釣場から撤収する際にもバッグ本体内の海水が容易且つ迅速に排出されなければならない。この発明では、内蓋がメッシュ生地から構成されているから、内蓋全体が網目状に形成されている。したがって、釣人は、バッグ本体を傾斜させるだけで迅速にバッグ本体内の海水を排出することができるし、内蓋が閉じられた状態でさらに海水を注ぎ足すことにより、バッグ本体内の海水が新鮮なものに簡単に入れ換えられる。
【００１２】
(6) 上記開口は、矩形に形成されているのが好ましい。そして、上記内蓋は、上記開口の対角線に沿って延びる切込部及び当該切込部を開閉する第３のファスナーを備えているのが好ましい。上記開口が矩形に形成されることにより、バッグ本体の剛性が一層向上する。また、この開口の対角線に沿って切込部が設けられているので、第３のファスナーが開かれることにより、切込部が大きく開かれる。したがって、釣人は、釣れた魚をバッグ本体に素早く収容することができ、特に、所定時間内における釣果を競う競技会等では、この釣用バッグは、釣人にとってきわめて便利なものである。
【００１３】
(7) 上記外蓋の上面にメジャーが表示されているのが好ましい。釣人は、このメジャーを利用して釣れた魚のサイズを計ることができる。これにより、所定サイズ以上の魚の釣果を競う競技会等では、この釣用バッグは、釣人にとって一層便利なものとなる。
【発明の効果】
【００１４】
本発明に係る釣用バッグは、例えば突然の降雨時にも収容物への浸水を防止することができる。また、釣れた魚を海水と共に収容することができる生け簀として使用される場合には、当該海水が容易に外部に漏れることはない。
【発明を実施するための最良の形態】
【００１５】
以下、適宜図面が参照されつつ、好ましい実施形態に基づいて本発明が詳細に説明される。
【００１６】
図１は、本発明の一実施形態に係る釣用バッグの斜視図である。この釣用バッグ１０は、バッグ本体１１を備えている。このバッグ本体１１は、上方が開口された直方体容器状に形成されており、このバッグ本体１１に外蓋１２が設けられている。また、図２は、上記外蓋１２が開放された状態における釣用バッグ１０の斜視図である。同図が示すように、バッグ本体１１に内蓋１３が設けられている。さらに、図３は、この内蓋１３が開放された状態における釣用バッグ１０の斜視図である。
【００１７】
この釣用バッグ１０は、例えば磯釣りの際に使用され、釣用リール、浮子、錘その他の釣道具のほか釣餌等が収容される。また、この釣用バッグ１０は、後述の材料から構成されており、釣れた魚を生かしておくための生け簀としても機能する。本実施形態に係る釣用バッグ１０の特徴とするところは、上記内蓋１３の構造及びその取付構造であり、内蓋１３が後述される構造を有し、バッグ本体１１に後述される要領で取り付けられることによって、当該釣用バッグ１０が釣道具の収容容器として高い防水性を発揮すると共に、使い勝手に優れた生け簀として使用され得るようになっている。以下、釣用バッグ１０の構造について詳述される。
【００１８】
図１ないし図３が示すように、釣用バッグ１０は、上記バッグ本体１１と、外蓋１２と、内蓋１３とを備えている。
【００１９】
バッグ本体１１は、矩形の底面部１４と、この底面部１４の周縁に立設された側壁部１５とを備えており、上端に矩形の開口１７が形成されている。この開口１７が矩形に形成されることにより、バッグ本体１１の剛性が向上し、釣用バッグ１０の使い勝手が向上する。これら底面部１４及び側壁部１５は、シート状の合成樹脂から構成されている。合成樹脂としては、例えば、エチレン酢酸ビニル共重合体（ＥＶＡ）が好適に採用される。底面部１４の肉厚寸法は、０．７５ｍｍ〜２．０ｍｍ程度に設定され、側壁部１５の肉厚寸法は、０．７５ｍｍ〜２．０ｍｍ程度に設定され得る。側壁部１５は、シート状の合成樹脂が筒状に形成され、その下端部が上記底面部１４の周縁部に溶着されることによって形成されている。
【００２０】
図４は、図１におけるIV−IV断面図である。同図は、バッグ本体１１の上部の構造並びに外蓋１２及び内蓋１３の取付構造を示している。
【００２１】
同図が示すように、上記側壁部１５の上端部１６は、バッグ本体１１の外側に折り返されており、所定位置１８において当該側壁部１５に溶着（止着）されている。当該上端部１６は、バッグ本体１１の周囲全体に連続して溶着されていてもよいし、間欠的に溶着されていてもよい。また、本実施形態では、上記側壁部１５の上端部１６は、芯材１９に巻き掛けられている。この芯材１９は、環状に形成されており、上記開口１７の周縁部に沿って配置されている。換言すれば、この芯材１９が上記開口１７を区画している。芯材１９は、例えばステンレススチールから構成され得る。この芯材１９が設けられることにより、バッグ本体１１の開口１７の周縁部の剛性が向上し、その結果、バッグ本体１１が釣道具の収容容器として一層使い易いものとなる。
【００２２】
図１が示すように、バッグ本体１１は把手２２、２３を備えている。この把手２２、２３は、バッグ本体１１の対向する一対の側面２４に設けられている。把手２２は、取付ステー２５を介して上記側面２４に取り付けられている。
【００２３】
図５は、この取付ステー２５の拡大斜視図である。同図では、バッグ本体１１の一方の側面２４に設けられた取付ステー２５が図示されているが、他方の側面２４に設けられた取付ステー２５も同様の形状である。
【００２４】
取付ステー２５は、バッグ本体１１の側面２４に固定されるベース部３０と、このベース部３０の中央部に形成されたブリッジ部３１と、このブリッジ部３１の両側方にそれぞれ形成された軸受部３２とを備えている。ただし、この取付ステー２５は、上記側面２４にバッグ本体１１と一体的に形成されるのが好ましい。この取付ステー２５は、合成樹脂からなり、例えば射出成型されることによって構成されている。上記バッグ本体１１と同様にシート状の合成樹脂から構成されている。この合成樹脂としては、例えば、エチレン酢酸ビニル共重合体（ＥＶＡ）が好適に採用される。
【００２５】
上記ベース部３０は、横長矩形の平板状に形成されている。ブリッジ部３１は、扁平したＵ字状に形成されており、ベース部３０から外方に突出している。このため、ブリッジ部３１とベース部３０との間に所定の空間が形成されており、この空間にタオルやコマセカッター等が引っ掛けられるようになっている。また、軸受部３２は、リング状に形成されており、上記ブリッジ部３１の両側方に突設されている。これら軸受部３２は、後述される把手２２の軸４１（図６参照）を回動自在に支持する。
【００２６】
軸受部３２の下方に、当該軸受部３２に連続するようにしてベース部３０に切込３３が設けられている。この切込３３が設けられることにより、軸受部３２の下側部分がベース部３０から離れるように変形することができ、その状態で上記把手２２の軸４１が当該軸受部３２に嵌め込まれるようになっている。このようにして軸４１が軸受部３２に嵌め込まれた後、軸受部３２がバッグ本体１１に溶着されることにより、把手２２が取付ステー２５に回動自在に取り付けられる。
【００２７】
図６は、上記把手２２の斜視図である。
【００２８】
同図が示すように、この把手２２は全体として略Ｕ字状を呈している。この把手２２は、上記取付ステー２５と同様に合成樹脂からなり、例えば射出成形されることによって構成されている。この合成樹脂としては、例えば、エチレン酢酸ビニル共重合体（ＥＶＡ）が好適に採用される。把手２２の両端部４０は平板状に形成されており、当該両端部４０に上記軸４１が形成されている。また、把手２２の中央部４３は丸棒状に形成されており、釣人は、この中央部４３を把持して容易に当該釣用バッグ１０を持ち運びすることができる。
【００２９】
把手２２の両端部４０はフォーク状に形成されており、上記各軸４１は、両端部４０の先端同士を連結して上記中央部４３と略平行に延びている。換言すれば、上記両端部４０は、それぞれ、肉抜きされた空間４４が形成されており、上記各軸４１は、この空間４４に架け渡すように配置されている。この空間４４が形成されることにより、各軸４１が上記軸受部３２に容易に嵌め込まれる。また、上記両端部４０は、所定部位４５において屈曲されている。このように両端部４０が屈曲されていることにより、把手２２が上方へ回動起立された状態で上記中央部４３が釣用バッグ１０の上方中央に位置することになる（図１参照）。
【００３０】
把手２２は、バッグ本体１１の一方の側面２４に設けられたものであるが、把手２３は、バッグ本体１１の他方の側面２４に設けられている。把手２３は、把手２２と同様の構成であるから、その説明は省略される。
【００３１】
図１及び図２が示すように、外蓋１２は、バッグ本体１１の上端に開閉自在に取り付けられている。この外蓋１２は、上記バッグ本体１１と同様にシート状の合成樹脂から構成されている。この合成樹脂としては、例えば、エチレン酢酸ビニル共重合体（ＥＶＡ）が好適に採用される。この外蓋１２が閉じられたときは、当該外蓋１２は、バッグ本体１１の上記開口１７を閉塞する（図１及び図４参照）。また、図２が示すように外蓋１２が開かれたときは、上記開口１７が露出する。
【００３２】
本実施形態では、この外蓋１２は、トレー状に形成されている。具体的には、外蓋１２は、平板部２０とスカート２１とを備えている。平板部２０は矩形に形成されており、その外形形状は、上記開口１７の周縁形状とほぼ同様である。本実施形態では、図１が示すように、上記平板部２０の上面にメジャー４９が表示されている。上記スカート２１は、上記平板部２０と一体的に形成されている。スカート２１は、上記平板部２０の周縁に連続し、外側に広がるように設けられている。したがって、外蓋１２が閉じられたときは、このスカート２１の内面が上記開口１７の周縁部の外側に当接し（図４参照）、当該開口１７及びその周縁部の外側がスカート２１によって囲繞されるようになっている。
【００３３】
また、図４が示すように、このスカート２１の所定位置に貫通孔２７が設けられている。この貫通孔２７にパイプ挿通環２６が嵌め込まれている。この貫通孔２７は、典型的にはエアポンプ用チューブ５０が挿通され得る。具体的には、この釣用バッグ１０が例えば釣れた魚を生かしておく生け簀として使用される場合には、生け簀内に空気を供給するエアポンプが使用される場合がある。その場合に、空気を供給するためのチューブが上記パイプ挿通環２６を介して貫通孔２７に挿通され、バッグ本体１１内に導かれる。上記貫通孔２７がスカート２１に設けられることにより、上記エアポンプ用チューブ５０が屈曲等することなく、滑らかに湾曲してバッグ本体１１内に導かれる。なお、上記パイプ挿通環２６は、省略されていてもよい。
【００３４】
図１及び図２が示すように、外蓋１２は、ファスナー２８（第２のファスナー）を介してバッグ本体１１に縫い付けられている。図４が示すように、このファスナー２８は、バッグ本体１１の側壁部１５の上端部１６の最縁部２９と、上記外蓋１２のスカート２１の周縁部３３との間に架け渡すように縫い付けられている。すなわち、このファスナー２８の一方側は、上記上端部１６の溶着位置（上記所定位置１８）よりも下方に縫い付けられており、他方側が上記スカート２１の周縁部３３に縫い付けられている。そして、スライダ３４が操作されることにより、当該ファスナー２８が開閉され、外蓋１２が開閉されるようになっている。
【００３５】
図７は、図２の要部拡大斜視図であって、内蓋１３の取付構造が詳細に示されている。
【００３６】
同図が示すように、内蓋１３は、バッグ本体１１の開口１７の周縁部の内側に配置されており、当該バッグ本体１１に対して開閉自在に取り付けられている。この内蓋１３は、ファスナー３５を介してバッグ本体１１に縫い付けられている。内蓋１３は、シート状に形成されており、メッシュ生地からなる。具体的には、内蓋１３は、格子状に編まれたコア部材（典型的には綿糸やナイロン糸）に、ポリ塩化ビニル（ＰＶＣ）等の樹脂やラバー等がコーティングされたものからなり、きわめて可撓性に富む。図４が示すように、ファスナー３５は、内蓋１３の縁部３６と、バッグ本体１１の側壁部１５との間に架け渡すように縫い付けられている。すなわち、このファスナー３５の一方側は、上記上端部１６の溶着位置（上記所定位置１８）よりも上方に縫い付けられており、他方側が上記内蓋１３の縁部３６に縫い付けられている。そして、スライダ３７が操作されることにより（図７参照）、当該ファスナー３５が開閉され、内蓋１３が開閉されるようになっている。
【００３７】
また、図４及び図７が示すように、内蓋１３の隅部に貫通孔３８が設けられている。この貫通孔３８にパイプ挿通環３９が嵌め込まれている。この貫通孔３８は、上記エアポンプ用チューブ５０が挿通され得る。この貫通孔３８が内蓋１３に設けられることにより、上記外蓋１２を貫通したエアポンプ用チューブ５０がバッグ本体１１内に容易に且つ屈曲することなく滑らかに導かれる。なお、この貫通孔３８及びパイプ挿通環３９は、省略されていてもよい。
【００３８】
内蓋１３は、上記開口１７の形状に対応した形状に形成されている。すなわち、本実施形態では、内蓋１３は、矩形に形成されており、閉じられた状態で上記開口１７を閉塞するようになっている（図７参照）。そして、内蓋１３は、斜め方向に延びる切込部４６を備えており、この切込部４６にファスナー４７（第３のファスナー）が設けられている。この切込部４６の方向は、内蓋１３の対角線方向であり、上記開口１７の対角線に沿う方向である。上記ファスナー４７は、上記切込部４６の両側に架け渡すように取り付けられており、スライダ４８が操作されることにより、当該ファスナー４７が開閉され、上記切込部４６が開閉されるようになっている。
【００３９】
本実施形態に係る釣用バッグ１０は、次のようにして使用される。この釣用バッグ１０は、前述のように釣道具等の収容庫として使用されるほか、実釣時において釣れた魚を生かしておく生け簀としても使用される。バッグ本体１１に釣道具等が収容された状態で、内蓋１３がファスナー３５を介して閉められることにより、バッグ本体１１内が外部と区画される。さらに、外蓋１２がファスナー２８を介して閉じられることにより、バッグ本体１１の開口１７が閉じられる。
【００４０】
上記バッグ本体１１の側壁部１５の上端部１６は、図４が示すように外側に折り返された後に当該側壁部１５に溶着されているから、この側壁部１５の高い防水性が達成される。しかも、内蓋１３をバッグ本体１１に取り付けているファスナー３５は、上記側壁部１５の上端部１６が溶着された位置よりも上方位置、すなわち、上記側壁部１５の上端部１６が折り返された部位に近い位置に縫い付けられている。そのため、このファスナー３５が縫い付けられた部位は、上記側壁部１５の上端部１６によって外側から覆われることになる。したがって、釣用バッグ１０が釣道具等の収容庫として使用される場合に、上記ファスナー３５が縫い付けられた部位からの浸水が確実に防止される。加えて、上記側壁部１５の先端部１６が前述のように外側に折り返されていることから、バッグ本体１１の内面が滑らかに形成されるという利点もある。
【００４１】
本実施形態では、上記外蓋１２は、上記側壁部１５の上端部１６の最縁部２９に縫い付けられているから、この外蓋１２が閉じ姿勢となったときは、上記側壁部１５の上端部１６が外側から覆われることになる。したがって、バッグ本体１１の開口１７も外蓋１２によって確実に囲繞され、バッグ本体１１への浸水が効果的に防止され得る。しかも、この外蓋１２が閉じられたときは、上記ファスナー２８も閉じられるから、バッグ本体１１への浸水が一層確実に防止される。特に、この外蓋１２は、上記スカート２１を備えており、トレー状に形成されている。したがって、この外蓋１２が閉じられたときに、バッグ本体１１の開口１７及びその周縁部の外側が当該外蓋１２によって囲繞される。その結果、外部からバッグ本体１１内への浸水がなお一層確実に防止されるという利点がある。
【００４２】
ところで、この釣用バッグ１０が生け簀として使用される場合には、実釣中に魚を生かしておくために、バッグ本体１１内の海水を新鮮なものに適宜入れ換える必要がある。その場合には、バック本体１１内の海水が容易且つ迅速に排出されなければならない。また、釣人が釣場から撤収する際にもバッグ本体１１内の海水が容易且つ迅速に排出されなければならない。本実施形態では、上記内蓋１３がメッシュ生地から構成されているから、前述のように内蓋１３全体が網目状に形成されている。したがって、釣人は、バッグ本体１１を傾斜させるだけで迅速にバッグ本体１１内の海水を全部排出することができるし、内蓋１３が閉じられた状態でさらに海水を注ぎ足すことにより、バッグ本体１１内の海水を新鮮なものに簡単に入れ換えることができる。加えて、上記ファスナー３５が上記側壁部１５の上端部１６が溶着された位置よりも上方位置に縫い付けられていることから、仮にバッグ本体１１が海水を収容したまま輸送されたとしても、バッグ本体１１の内部から容易に海水が外部に漏れ出ることはない。
【００４３】
さらに、この内蓋１３は、対角線に沿って延びる切込部４６を備えているので、釣人は、ファスナー４７を開くだけで内蓋１３を開くことなく釣れた魚を切込部４６からバック本体１１に収容することができる。また、この内蓋１３は、上記メッシュ生地、すなわち比較的撓みやすい素材で構成されているから、上記切込部４６は簡単に大きく開かれる。しかも、この切込部４６は、内蓋１３の略全体にわたって形成されているから、ファスナー４７が開かれることにより、当該切込部４６がきわめて容易に大きく開かれる。したがって、釣人は、釣れた魚をバッグ本体１１内に素早く収容することができ、特に、所定時間内における釣果を競う競技会等では、この釣用バッグ１０は、釣人にとってきわめて便利なものである。
【００４４】
加えて、外蓋１２に上記メジャー４９が表示されているので、釣人は、このメジャーを利用して釣れた魚のサイズを計ることができる。これにより、所定サイズ以上の魚の釣果を競う競技会等では、この釣用バッグ１０は、釣人にとって一層便利なものとなる。
【産業上の利用可能性】
【００４５】
本発明は、魚釣りに使用される釣用バッグに適用され得る。
【図面の簡単な説明】
【００４６】
【図１】図１は、本発明の一実施形態に係る釣用バッグの斜視図である。
【図２】図２は、本発明の一実施形態に係る釣用バッグの外蓋が開放された状態における斜視図である。
【図３】図３は、本発明の一実施形態に係る釣用バッグの内蓋が開放された状態における斜視図である。
【図４】図４は、図１におけるIV−IV断面図である。
【図５】図５は、本発明の一実施形態に係る釣用バッグの取付ステーの拡大斜視図である。
【図６】図６は、本発明の一実施形態に係る釣用バッグの把手の斜視図である。
【図７】図７は、図２における要部拡大斜視図である。
【符号の説明】
【００４７】
１０・・・釣用バッグ
１１・・・バッグ本体
１２・・・外蓋
１３・・・内蓋
１４・・・底面部
１５・・・側壁部
１６・・・側壁部の上端部
１７・・・開口
１８・・・所定位置
１９・・・芯材
２１・・・スカート
２８・・・ファスナー
２９・・・最縁部
３３・・・周縁部
３５・・・ファスナー
３６・・・内蓋の縁部
４６・・・切込部
４７・・・ファスナー
４９・・・メジャー
【図１】
2007028988.tif 000003
【図２】
2007028988.tif 000004
【図３】
2007028988.tif 000005
【図４】
2007028988.tif 000006
【図５】
2007028988.tif 000007
【図６】
2007028988.tif 000008
【図７】
2007028988.tif 000009